(57)【要約】      （修正有）【課題】プルオープンキャップの開封性の向上を図る。【解決手段】キャップ本体３の外筒９の頂壁１３に立設された注出筒１７と、該注出筒を閉鎖する遮断壁２０と、該遮断壁に形成され、除去部２４を区画する切溝２２と、前記除去部に立設されたプルリングとを備えたプルオープンキャップ１において；前記除去部の周縁部に肉厚部２５を設ける。【選択図】図３
0003119234.tif 000002
【実用新案登録請求の範囲】
【請求項１】
キャップ本体の外筒の頂壁に立設された注出筒と、該注出筒を閉鎖する遮断壁と、該遮断壁に形成され、除去部を区画する切溝と、前記除去部に立設されたプルリングとを備えたプルオープンキャップにおいて；          
前記除去部の周縁部に補強手段を設けたことを特徴とするプルオープンキャップ。
【請求項２】
前記補強手段が、環状の肉厚部であることを特徴とする請求項1記載のプルオープンキャップ。
【請求項３】
前記補強手段が、環状の肉厚部と、該肉厚部に連続する変形規制リブとからなることを特徴とする請求項1記載のプルオープンキャップ。
【請求項４】
前記変形規制リブが、少なくとも前記プルリングの基端近傍を含む領域に形成されていることを特徴とする請求項３記載のプルオープンキャップ。
【請求項５】
前記切溝が、円形状に形成されていることを特徴とする請求項1、２、３、又は、4記載のプルオープンキャップ。
【考案の詳細な説明】
【技術分野】
【０００１】
この考案は、容器の口部に装着されるキャップに関するものであり、更に述べると、プルリングを引っ張って切溝を引裂き、遮断壁に開口を形成する、プルオープンキャップに関するものである。
【背景技術】
【０００２】
従来のプルオープンキャップは、キャップ本体の外筒の頂壁に立設された注出筒と、該注出筒を閉鎖する遮断壁と、該遮断壁に形成され、除去部を円形状に区画する切溝と、前記除去部に立設されたプルリングとを備えている。このキャップでは、プルリングを上方に引っ張り上げることにより切溝を引裂いて除去部を切り取り、遮断壁に開口を形成することで開封が達成される（例えば、特許文献１、参照）。
【０００３】
【特許文献１】特開２００３−７２８１１号公報
【考案の開示】
【考案が解決しようとする課題】
【０００４】
プルオープンキャップは、プルリングを引っ張って切溝を引裂く際、除去部が弧状に撓むため引っ張り力が分散し、引裂きの始端から終端まで、継続的に大きな引っ張り力を必要とする。このことは、力の弱い高齢者等がプルリングを引っ張っても円滑に切溝が切断できず、開封が困難となる。
【０００５】
特に錠剤等の固形物を収容した容器や液状内容物の大量注出が必要な容器には、取り出し開口が最も大きくなる円形状の切溝が形成されたプルオープンキャップが使用されるが、この種のキャップは、上述の課題に加えて開封性の点で以下の問題が残る。即ち、円形状の切溝は、引裂きの始端領域、及び終端領域において引裂き方向がプルリングの引っ張り方向に対して横設しているため引裂きが極めて進み難い状態となる。
【０００６】
この考案は、上記事情に鑑み、開封途中における切溝の引っ張り力を低減せしめ、開封性の向上を図ることを目的とする。
【課題を解決するための手段】
【０００７】
この考案は、キャップ本体の外筒の頂壁に立設された注出筒と、該注出筒を閉鎖する遮断壁と、該遮断壁に形成され、除去部を区画する切溝と、前記除去部に立設されたプルリングとを備えたプルオープンキャップにおいて；前記除去部の周縁部に補強手段を設けたことを特徴とする。
【０００８】
この考案の補強手段は、環状の肉厚部であることを特徴とする。この考案の補強手段は、リング状の肉厚部と該肉厚部に連続する変形規制リブとからなることを特徴とする。この考案の変形規制リブが、少なくとも前記プルリングの基端近傍を含む領域に形成されていることを特徴とする。この発明の切溝は、円形状に形成されていることを特徴とする。
【考案の効果】
【０００９】
この考案は、除去部の周縁部に、除去部の撓みを規制する補強手段を設けたので、プルリングを所定方向に引っ張ると、切溝に効果的に応力集中が発生する。そのため、該切溝が引き裂きやすくなるので、容易に除去部を切り取り、開封することができる。
【考案を実施するための最良の形態】
【００１０】
本考案の第１実施形態を図１〜図４により説明する。
プルオープンキャップ１は、キャップ本体３と、該キャップ本体３に被着される上蓋５と、前記キャップ本体３と上蓋５を連結するヒンジ７と、を備えている。
【００１１】
キャップ本体３の外筒９と内筒１１とは、頂壁１３を介して連結されている。該頂壁１３の上面には、係止筒１５が設けられ、その内側には、注出筒１７が立設されている。
【００１２】
この注出筒１７の下端は、遮断壁２０により閉鎖されている。この遮断壁２０には、環状の切溝２２が設けられて、この切溝２２は、除去部２４を区画している。この切溝２２は、遮断壁２０の裏面側に、断面逆Ｖ字状に形成されている。除去部２４の周縁部には、肉厚部２５が設けられている。
【００１３】
この肉厚部２５は除去部２４の変形を規制する為の補強手段であり、上面が円弧状に形成されている。この肉厚部２５は、切溝２２の上面２２ａより突出しており、該切溝２２の上面２２ａ近傍は、Ｖ字状の谷部となっている。なお、肉厚部２５はその断面形状を台形状や三角形状等、切溝２２の上面２２ａ近傍が、Ｖ字状の谷部となる限りにおいて、適宜の形状とすることができる。
【００１４】
除去部２４の周縁部には、プルリング２７の脚部２９が立設されている。又、除去部２４の表面には、プルリング２７の引っ張り方向を示す矢印３０が設けられている。
【００１５】
次に、本実施例の作動について説明する。
プルオープンキャップの開封は従来と同様に、プルリング２７に指をかけ，矢印３０の方向に引っ張ると、脚部２９近傍の切溝２２の引裂きが開始する。更に、プルリング２７を同方向に引っ張ると、除去部２４が切り取られ、注出のための開口が形成する。
【００１６】
この時、除去部２４の周縁部が肉厚部となっており、除去部２４の撓み変形が規制されるとともに、肉厚部２５は切溝２２の上面２２ａより突出し、該切溝２２の上面２２ａ近傍がＶ字状の谷部となっているため、切溝２２に効果的に応力集中を発生させることができ、円滑に切溝を切り取ることができる。
【００１７】
本発明のキャップと従来のキャップの開封時の荷重の変化を図４に示す。なお、従来のキャップと本発明のキャップとは、除去部の周縁部に形成された肉厚部以外は同一形状である。グラフＡは本発明の図３に示すキャップ、グラフＢは従来のキャップである。グラフＡ、Ｂでは、荷重のピーク値だけではなく、荷重ピーク後の波形の違いに注目できる。Ａでは、第1ピークＡ１の後の荷重低下が素早く、かつ、滑らかである。
【００１８】
従来のキャップは、ピークＢ１の後にピークＢ２が出現するのに加え、引裂き荷重のピークが総じてＡよりも高くなっている。ピークＢ２は、切溝の引裂き開始後、切溝の引き裂きを進めたときに、切溝の形成方向がプルリングの引っ張り方向に対して横設しているために出現するものであるが、本発明のキャップでは、補強手段によりプルリングの引っ張り力が切溝に直達するため、グラフＡでは出現しないことがわかる。また、開封にかかる総荷重を比較すると、グラフＡはグラフＢよりも小さく、本発明のキャップは従来のキャップよりも容易に開封できることがわかる。
【００１９】
この考案の第２実施形態を図５により説明するが、図１〜図４と同一図面符号は、名称も機能も同一である。この実施例と第１実施例との相違点は、除去部の周縁部に形成した環状の肉厚部２５に加えて、変形規制リブ３１を連設したことである。
【００２０】
この変形規制リブ３１は、十字状に形成され、縦リブ３１ａと横リブ３１ｂとを備えている。縦リブ３１ａの一端は、引裂き始端近傍のプルリングの脚部２９に連結され、他端は切溝の引き裂き終端近傍に位置している。従って、このリブ３１ａにより除去部２４の周縁部を含む全体に亘って撓み変形が効果的に規制され、プルリングの引っ張り力が切溝に直達するので開封が容易になる。また、好適な別実施形態として、肉厚部２５と変形規制リブ３１とで区画される領域の除去部の肉厚寸法を低減せしめることで、使用する樹脂の量を増加させることなく、除去部周縁部の撓み変形を効果的に規制することができる。なお、リブ３１ａ、３１ｂの形状、太さ等は必要に応じて適宜選択される。
【図面の簡単な説明】
【００２１】
【図１】本件考案の第１実施形態を示す平面図である。
【図２】図１のII−II線断面図である。
【図３】図２の要部拡大図である。
【図４】開封時の荷重変化を示す図である。
【図５】本件考案の第２実施形態を示す除去部拡大図である。
【符号の説明】
【００２２】
１    プルオープンキャップ
３    キャップ本体
２０  遮断壁
２２  切溝
２４  除去部
２７  プルリング
２９  脚部
【図１】
0003119234.tif 000003
【図２】
0003119234.tif 000004
【図３】
0003119234.tif 000005
【図４】
0003119234.tif 000006
【図５】
0003119234.tif 000007